(57)【要約】【課題】電子機器の開口部およびエアダクトを通風経路しての機能を持たせた上で、該当部からの騒音漏れを低減させる。【解決手段】冷却等で風を流すための通風経路Ｗを有する機構を有する画像形成装置等の電子機器で、通風経路Ｗに遮音部材４１を備え、無風時には閉じて通風経路Ｗを塞ぎ、通風時には開いて風が流れようにする。エアダクト３１内部に開閉可能な遮音部材４１が取り付けられている。遮音部材４１は軸中心に回転することで開閉する。遮音部材４１はファンモータ５１の駆動力で開くようにしている。自然通風により駆動源を用いずに開閉する構造でもよい。遮音部材４１がその回転軸に対して非対称の形状であれば、長さの差、すなわち重さの差を利用することで自重により遮音部材４１が閉じ得る。【選択図】図４
2015103591.tif 000002
【特許請求の範囲】
【請求項１】
電子機器を冷却するための通風経路を有し、該通風経路に気流を流すファンモータを備えた電子機器において、
前記通風経路に、前記気流を電子機器の外部に排出する開口部を設け、
前記ファンモータと前記開口部との間に通気抵抗となる遮音部材を複数個有し、
該遮音部材が開閉可能でかつ隣り合う遮音部材が重なりあって閉状態となる、
ことを特徴とする電子機器。
【請求項２】
請求項１に記載の電子機器において、
前記遮音部材は、前記通風経路内の風圧により開き得る、
ことを特徴とする電子機器。
【請求項３】
請求項２に記載の電子機器において、
前記遮音部材は、前記通風経路内が無風であるときに閉じて前記通風経路を塞ぎ得る自重を有する、
こと特徴とする電子機器。
【請求項４】
請求項２に記載の電子機器において、
前記遮音部材を閉じるための弾性力を有する弾性体を備える、
こと特徴とする電子機器。
【請求項５】
請求項３に記載の電子機器において、
前記遮音部材を閉じるための弾性力を有する弾性体を備える、
こと特徴とする電子機器。
【請求項６】
請求項２乃至５のいずれかに記載の電子機器において、
前記遮音部材は回転軸を軸心として回転することで開閉する、
ことを特徴とする電子機器。
【請求項７】
請求項６に記載の電子機器において、
前記遮音部材は、前記通風経路内での通風方向に沿って前記回転軸に対して非対称形状である、
ことを特徴とする電子機器。
【請求項８】
請求項１に記載の電子機器において、
前記遮音部材を開閉駆動する駆動源を備えた、
ことを特徴とする電子機器。
【請求項９】
請求項１乃至８のいずれかに記載の電子機器が有する遮音部材を備えたことを特徴とする画像形成装置。
【発明の詳細な説明】
【技術分野】
【０００１】
本発明は、電子機器用の遮音構造と、この構造を備えた画像形成装置に関する。
【背景技術】
【０００２】
電子機器の騒音対策として外装カバーの隙間をオーバーラップさせたり、隙間を小さくする方法が既に知られている。また例えば、特許文献１には、冷却経路の防音の目的で、冷却効率と遮音性を両立させようとする技術が開示されている。
【０００３】
図１、図２は、従来の開口部の遮音構造について説明するための概念図である。
図１は、電子機器の騒音漏れの模式図、図２は、通風経路（開口部）の遮音構造の模式図である。
【０００４】
図１に示す構造は、エアダクトが騒音を外部に導くための通り道となっている。図２示す構造は、開口部をもつが外装１１は通風経路をある程度確保しつつ、音が通りづらい構造になっている。
【発明の概要】
【発明が解決しようとする課題】
【０００５】
しかし、機器内部から発生する騒音が漏れやすい構造である、という問題があった。特に、障害物を周りこんで音を伝播する性質が強い低周波数の音が遮音できないという問題がある。冷却用等のエアダクトに繋がる外装カバーの吸気口、排気口はその特性上、風が通る隙間を確保するため開口していなければならないためである。
【０００６】
図１、図２示す構造でも、低周波の音２１は遮蔽物があっても回りこんで伝わっていく回折という現象が顕著であり、低周波の音に対しては遮音効果が小さい。また高周波の音に対しても矢印２２ａのように進む音は効率よく遮音されるが、矢印２２ｂのように進む音は反射しながら開口部を通りぬけてしまう。
【０００７】
特許文献１が開示する技術も、ダクト経路を通って回折してくる低周波の騒音の遮音ができないという問題は解消できていない。
【０００８】
本発明は、電子機器の開口部およびエアダクトを通風経路しての機能を持たせた上で、該当部からの騒音漏れを低減させることを目的とする。
【課題を解決するための手段】
【０００９】
本発明に係る電子機器用は、電子機器を冷却するための通風経路を有し、該通風経路に気流を流すファンモータを備えた電子機器において、前記通風経路に、前記気流を電子機器の外部に排出する開口部を設け、前記ファンモータと前記開口部との間に通気抵抗となる遮音部材を複数個有し、該遮音部材が開閉可能でかつ隣り合う遮音部材が重なりあって閉状態となる、ことを特徴とする。
【発明の効果】
【００１０】
本発明によれば、通風経路の遮音部材が、無風時には閉じ、通風時には開く、というように開閉可能であるので、必要な冷却機能を持ちながら騒音を低減することができる。
【図面の簡単な説明】
【００１１】
【図１】電子機器の騒音漏れの模式図である。
【図２】同じく通風経路（開口部）の遮音構造の模式図である。
【図３】遮音構造の斜視図である。
【図４】遮音構造の斜視断面図である。
【図５】実施形態１の遮音の様子を示す断面図である。
【図６】同通風時の様子を示す断面図である。
【図７】遮音部材の開閉構造を拡大して示し、遮音部材を閉じる機構を示す図である。
【図８】遮音部材の開閉構造を拡大して示し、遮音部材を閉じる他の機構を示す図である。
【発明を実施するための形態】
【００１２】
本発明に係る電子機器用の用の遮音構造の実施の形態を説明する。
本発明は、冷却等で風を流すための通風経路を有する機構を有する画像形成装置等の電子機器用の遮音構造が以下の特徴を有する。要するに、電子機器の通風経路に遮音部材を備え、その遮音部材が無風時には閉じて通風経路を塞ぎ、通風時には通風経路内の風圧で開いて風が流れる、というように開閉可能であることが特徴になっている。
前記の本発明の特徴について、以下、図面を用いて詳細に説明する。
【００１３】
＜実施形態１＞
本発明の実施形態１を説明する。
図３、４は、本発明の遮音構造の一実施形態の斜視図である。図３は、遮音構造の斜視図、図４は遮音構造の斜視断面図である。
エアダクト３１内部の通風経路Ｗには、ファンモータ５１とエアを排出するための開口部３１ａと間に、複数の開閉可能な遮音部材４１が取り付けられている。遮音部材４１は後述するように軸中心に回転することで開閉する。複数の遮音部材４１は、隣り合う遮音部材４１が重なり合って開口部３１ａを閉じる。図示した実施形態では、遮音部材４１がエアダクト３１に取り付けてあるが、エアダクト等の被取付体の外装の開口部等、音が漏れ出る経路であればどこに取り付けても良い。
【００１４】
図５は、本実施形態の遮音の様子を示す断面図、図６は、同じく通風時の様子を示す断面図である。
図５に示すように、遮音部材４１が閉じているときは、ファンモータが起こす気流の通風経路Ｗを遮音部材４１が塞ぐことで遮音する。通風時は遮音部材４１が開き、通風経路Ｗを確保し、開口部３１aからエアを外部へ排出することで冷却等を行うことができる。なお図５、図６に示す遮音部材４１はファンモータ５１が通風経路Ｗに起こす気流の力で開くようにしているが、その他のモータやソレノイド等の駆動源を用いて開閉させても良い。また、ファンモータ５１が起動していない時でも自然通風によって開閉できる構造としてもよい。
【００１５】
また本実施形態の構造では、通風経路Ｗのファンモータ５１が作動中の場合、遮音をすることが出来ない。しかし、電子機器のファンモータ５１等の駆動源は、冷却のために使用されることがほとんどである。すなわち冷却対象が一定温度以下であればファンモータ５１等を作動させる必要が無い。したがって実使用上は短時間しか使用しないことが多い電子機器では、ほとんどの場合で一部又は全てのファンモータ５１等の機器を停止できる。特に複写機等の画像形成装置では、一回の印刷で１〜２枚印刷するだけのことがほとんどである。したがって、実使用上は複写機等の内部の全てのファンモータ等を使用しなければならないほど機内温度が高くなるのは稀である。そのため、ファンモータ等を機内温度によってＯＮ／ＯＦＦ制御することで、実使用上ほとんどのケースで本発明により遮音することができる。
【００１６】
＜実施形態２＞
本発明の実施形態２を説明する。
図７、図８は、遮音部材の開閉構造を拡大して示す図であり、それぞれ、遮音部材を閉じる機構を示している。
まず、図７に示すように、遮音部材４１が風力で開き、閉じるときは遮音部材４１の自重で閉じるように構成できる。図７の例では遮音部材４１が回転軸７１の軸心に対して（通風経路４１内での通風方向に沿って）、非対称形状（長さＡ＜Ｂ）を有する。この長さの差、すなわち重さの差を利用することで自重により遮音部材４１が閉じる。
【００１７】
図８に示すようにバネやゴム等の弾性体６１の弾性力を付勢力として用い、遮音部材４１が閉じる機構とすることもできる。またモータやソレノイド等の駆動源を利用し、その駆動力を用いて開閉させても良い。
【００１８】
本発明は以上説明した実施形態に限定されるものではなく、多くの変形が本発明の技術的思想内で当分野において通常の知識を有する者により可能である。
【符号の説明】
【００１９】
３１      ：エアダクト
４１      ：遮音部材
５１      ：ファンモータ
６１      ：弾性体
７１      ：回転軸
Ｗ        ：通風経路
【先行技術文献】
【特許文献】
【００２０】
【特許文献１】特開２００８‐２６９１１１号公報
【図１】
2015103591.tif 000003
【図２】
2015103591.tif 000004
【図３】
2015103591.tif 000005
【図４】
2015103591.tif 000006
【図５】
2015103591.tif 000007
【図６】
2015103591.tif 000008
【図７】
2015103591.tif 000009
【図８】
2015103591.tif 000010